(57)【特許請求の範囲】
【請求項１】
ペットの腹部から背中に渡って装着される本体部と；
前記本体部において、ペットの排泄物を吸収する吸収体と；
前記本体部のペットの尻尾に対応する位置に形成され、装着されるペットの尻尾の径に対して十分に大きな長穴と；
前記長穴のペットの腹側のみを覆うように設けられた撥水性の伸縮性部材とを備えたことを特徴とするペット用オムツ。
【請求項２】
前記伸縮性部材は、不織布単体、フイルム単体、不織布とフイルムの貼り合わせ構造又は発泡体から選択される材質によって成形されることを特徴とする請求項１に記載のペット用オムツ。
【請求項３】
前記長穴は前記吸収体に達していないことを特徴とする請求項１又は２に記載のペット用オムツ。
【発明の詳細な説明】
【０００１】
【発明の属する技術分野】
本発明はペット用の使い捨てオムツ、生理用吸収性物品等のペット用装着物品の改良に関する。
【０００２】
【従来の技術】
ペット用オムツにおいては、一般に、尻尾に対応する位置に穴を開けてあり、使用（装着）に際しては、その穴にペットの尻尾を通すように設計されている。
【０００３】
従来のペット用オムツにおいては、ペットの尻尾を通す穴からの漏れを防止するために、例えば、穴の周囲に立体ギャザーを設けたものがある。
【０００４】
【発明が解決しようとする課題】
しかしながら、穴の周囲に立体ギャザーを設けた場合には、当該穴からの漏れは軽減されるものの、穴自体が小さいために、オムツの装着が困難であった。すなわち、ペットの尻尾を手でつかんで穴に通す作業は容易ではなく、また、ペットがオムツの装着を嫌がることが多い。特に、体型の大きな（尻尾の太い）ペットに装着する場合には、上記のような問題点は深刻となる。
【０００５】
本発明は上記のような状況に鑑みて成されたものであり、装着の容易なペット用オムツを提供することを目的とする。また、体型、体格の異なるペットに対しても柔軟に対応でき、フィット性に優れたペット用オムツを提供することを他の目的とする。
【０００６】
【課題を解決するための手段】
上記目的を達成するために、請求項１に記載の発明に係るペット用オムツは、ペットの腹部から背中に渡って装着される本体部と；前記本体部において、ペットの排泄物を吸収する吸収体と；前記本体部のペットの尻尾に対応する位置に形成された長穴とを備えている。そして、前記長穴は装着されるペットの尻尾の径に対して十分に大きく形成されている。
【０００７】
請求項２に記載の発明においては、前記長穴のペットの腹側の一部を覆うように撥水性の伸縮性部材を設けている。
【０００８】
請求項３に記載の発明においては、前記伸縮性部材は、不織布単体、フイルム単体、不織布とフイルムの貼り合わせ構造又は発泡体を使用することができる。ここで、不織布単体としては、ポリウレタン、ＳＩＳ（スチレン・イソプレン・スチレン共重合体）、ＳＥＢＳ（スチレン・エチレン・ブタジエン・スチレン共重合体）樹脂よりなるメルトブローン不織布等を使用することができる。フイルム単体としては、イソプレン、ブタジエン等のスチレンエラストマーフィルム又は、ＥＶＡ（エチレンビニルアセテート）等のポリオレフィン系エラストマーフィルムを使用することができる。また、発泡体としては、独立気泡ウレタン等を使用することができる。なお、伸縮部材は、１００％伸長時の強度が０．５Ｎ／２５ｍｍ以上、永久ひずみが３０％以上であることが好ましい。
【０００９】
請求項４に記載の発明においては、前記長穴は前記吸収体に達しないように設定されている。
【００１０】
【発明の実施の形態】
以下、本発明の実施例について、添付図面を参照して説明する。なお、本明細書の発明の名称として「オムツ」としているが、本発明はオムツ以外にも、尻尾を有するペット用の生理用吸収物品などに広く適用できるものである。
【００１１】
図１は、本発明の実施例にかかるペット用オムツの構造を示す平面図（内側）である。図２は、ペット用オムツの構造を示す平面図（外側）である。また、図３及び図４は、各々、図１のＩ−Ｉ方向、ＩＩ−ＩＩ方向の断面図である。本実施例に係るペット用オムツは、上下の端部が幅方向に広がった砂時計型に成形された本体部と；本体部においてペットの排泄物を吸収する吸収体１４とを備えている。図３及び図４に示すように、吸収体１４は液透過性のトップシート１０と液不透過性のバックシート１２との間に配置されている。吸収体１４は、高吸収性ポリマーやパルプ片を含み、ティッシュなどの吸水紙１１に包囲されている。バックシート１２の内側には、通気性の防水フィルム１３が設けられている。
【００１２】
吸水紙１１としては、ティッシュ、親水性の不織布、スパンボンド不織布、ポイントボンド不織布、スルーエア不織布、ウォータージェット不織布などを使用することができる。吸収紙１１の目が粗すぎると、吸収体１４から高吸収性ポリマーやパルプが洩れてしまうため、比較的目の細かい素材を使用する。
【００１３】
トップシート１０上において、吸収体１４の左右両側には、本体部の長手方向に延びる立体ギャザー２４が設けられている。また、脚開口部に相当する位置には、レッグギャザー２６が形成されている。本体部の腹側端部の左右両側部には、接着用のテープ１６が設けられている。これに対応するように、本体部の背中側端部には、接着用のテープ１６と係合又は接着する接着領域１８が形成されている。接着領域１８は、バックシート１２の外面に形成される。接着用テープ１６としては、例えば、メカニカルファスナーのフック部材を使用することができる。この場合、接着領域１８にはメカニカルファスナーのループ部材を使用する。
【００１４】
吸収体１４は、本体部の腹側に配置され、背中側端部寄りには配置されていない。本体部の背中側には、ペットの尻尾を通すための長穴２０が形成されている。長穴２０は、装着されるペットの尻尾の径よりも十分に大きく成形される。長穴２０は、また、吸収体１４には達しないように成形され、吸収体１４に吸収保持された尿などの排泄物が長穴２０から漏れ出るのを防止する可能となっている。長穴２０の腹側領域には、シート状の伸縮性部材２２が設けられている。
【００１５】
伸縮性部材２２としては、不織布単体、フイルム単体、不織布とフイルムの貼り合わせ構造又は発泡体を使用することができる。ここで、不織布単体としては、ポリウレタン、ＳＩＳ（スチレン・イソプレン・スチレン共重合体）、ＳＥＢＳ（スチレン・エチレン・ブタジエン・スチレン共重合体）樹脂よりなるメルトブローン不織布等を使用することができる。フイルム単体としては、イソプレン、ブタジエン等のスチレンエラストマーフィルム又は、ＥＶＡ（エチレンビニルアセテート）等のポリオレフィン系エラストマーフィルムを使用することができる。また、発泡体としては、独立気泡ウレタン等を使用することができる。なお、伸縮部材は、１００％伸長時の強度が０．５Ｎ／２５ｍｍ以上、永久ひずみが３０％以上であることが好ましい。
【００１６】
図５には、伸縮性部材２２の接着状態（領域）が示されている。本実施例の伸縮性部材２２は、長方形状に成形され、コの字状に３辺が本体部に固定されている。伸縮性部材２２の背中側端部は、長穴２０の中心部を越えた位置まで達している。そして、伸縮性部材２２と長穴２０とがオーバーラップした領域が、ペットの尻尾位置の変動許容範囲となる。すなわち、長穴２０が伸縮性部材２２で覆われている範囲内で、ペットの尻尾の位置が変動しても、伸縮性部材２２の伸縮性によって対応できる。
【００１７】
また、図５には示していないが、吸水紙１１は、長穴２０の縁部から若干内側まで延びている。これにより、ペットの肛門などから外部に漏れ出ようとする排出物を、長穴２０の内縁部で瞬間的に吸収し、漏れ出る勢いを抑制することが可能となる。
【００１８】
次に、本実施例に係るペット用オムツの使用方法について、図６を参照して説明する。最初に、ペットの尻尾３２を長穴２０に通し、本体部の腹側（吸収体１４側）をペットの腹部にあてがう。次に、本体部の背中側をペットの背中に被せ、腹側端部の接着テープ１６を背中側端部の接着領域１８に対して接着固定する。本実施例においては、ペットの尻尾３２が長穴の貫通領域（伸縮性部材２２で覆われていない部分）よりも太い場合にも、図６に示すように、尻尾３２が伸縮性部材２２を押し縮めるように作用し、十分な空間を確保することができる。また、オムツの装着後にペットが尻尾３２を動かした場合にも、伸縮性部材２２で当該動きを吸収できる。すなわち、ペットの尻尾３２と長穴２０の腹側が常にフィットしている状態となり、尻尾３２と長穴２０との隙間から排泄物が漏れ出るようなことがない。
【００１９】
以上、本発明の実施の形態について説明したが、本発明はこれに限定されるものではなく、特許請求の範囲に示された技術的思想の範囲内で適宜設計変更可能であることは言うまでもない。
【００２０】
【発明の効果】
以上説明したように、本出願の請求項１に記載の発明によれば、本体部において、ペットの尻尾に対応する位置に、ペットの尻尾の径に対して十分に大きな長穴を設けているため、装着が容易となるという効果がある。また、体型やサイズの異なるペットに対して適用できるというメリットもある。
【００２１】
請求項２に記載の発明によれば、長穴の腹側の一部を覆うように、撥水性の伸縮性部材を設けているため、ペットが尻尾を動かした場合にも、尻尾と長穴の腹側との間に隙間が形成されるのを防止することができる。その結果、ペットの肛門付近からの排泄物の漏れを防止できる。伸縮性部材として、請求項３に記載のように、不織布単体、フイルム単体、不織布とフイルムの貼り合わせ構造又は発泡体を用いた場合には、漏れ防止効果が更に向上する。
【００２２】
請求項４に記載の発明によれば、長穴が吸収体に達しないように配置されているため、吸収体に吸収保持された尿などの排泄物が、長穴から漏れ出るのを防止することができる。
【図面の簡単な説明】
【図１】図１は、本発明の実施例にかかるペット用オムツの構造を示す平面図（内側）である。
【図２】図２は、実施例にかかるペット用オムツの構造を示す平面図（外側）である。
【図３】図３は、図１のＩ−Ｉ方向の断面図である。
【図４】図４は、図１のＩＩ−ＩＩ方向の断面図である。
【図５】図５は、実施例に使用される伸縮性部材の接着領域を示す平面図である。
【図６】図６は、実施例にかかるオムツの装着時の様子を示す説明図である。
【符号の説明】
１０      トップシート
１２      バックシート
１４      吸収体
２０      長穴
２２      伸縮性部材
【図１】
0003848552.tif 000002
【図２】
0003848552.tif 000003
【図３】
0003848552.tif 000004
【図４】
0003848552.tif 000005
【図５】
0003848552.tif 000006
【図６】
0003848552.tif 000007